(57)【要約】 【課題】利用者の作業負荷の軽減を図る。【解決手段】第１記憶部２６は、印刷対象の画像データを含む印刷ジョブを記憶する。印刷処理部２４は、記録媒体に画像を形成する画像形成部に印刷ジョブに応じた画像を形成させる印刷制御を行う。検知部２８は、画像形成部の障害発生を検知する。退避処理部３２は、障害発生が検知されたときに、印刷処理部２４で印刷制御中の印刷ジョブの識別情報を含む障害情報を第２記憶部３４へ記憶させる制御を行うと共に、該印刷ジョブを第１記憶部２６から消去する。復旧処理部３０は、障害発生が検知されたときに、画像形成部を障害から復旧させる予め定めた復旧処理を実行する。【選択図】図２
2015038707.tif 000002
【特許請求の範囲】
【請求項１】
印刷対象の画像データを含む印刷ジョブを記憶する第１記憶部と、
記録媒体に画像を形成する画像形成部に前記印刷ジョブに応じた画像を形成させる印刷制御を行う印刷処理部と、
前記画像形成部の障害発生を検知する検知部と、
障害発生が検知されたときに、前記印刷処理部で印刷制御中の前記印刷ジョブの識別情報を含む障害情報を第２記憶部へ記憶させる制御を行うと共に、該印刷ジョブを前記第１記憶部から消去する退避処理部と、
障害発生が検知されたときに、前記画像形成部を障害から復旧させる予め定めた復旧処理を実行する復旧処理部と、
を備えた画像処理装置。
【請求項２】
前記印刷処理部は、
印刷制御が再開可能であるか否かを判別する判別部と、
障害発生を示す画像を含む第１画像を生成する第１画像生成部と、
を含み、
印刷制御が再開可能であると判別したときに、前記第１画像を前記画像形成部に形成させる印刷制御を実行した後に、該画像形成部に前記第１記憶部に記憶されている前記印刷ジョブに応じた画像を形成させる印刷制御を行う、請求項１に記載の画像処理装置。
【請求項３】
前記障害情報を外部装置へ通知する通知部を備えた請求項１または請求項２に記載の画像処理装置。
【請求項４】
前記障害情報は、前記識別情報及び障害発生を示す障害発生情報を含む、請求項１〜請求項３の何れか１項に記載の画像処理装置。
【請求項５】
記録媒体に画像を形成する画像形成部と、
印刷対象の画像データを含む印刷ジョブを記憶する第１記憶部と、
前記画像形成部に前記印刷ジョブに応じた画像を形成させる印刷制御を行う印刷処理部と、
前記画像形成部の障害発生を検知する検知部と、
障害発生が検知されたときに、前記印刷処理部で印刷制御中の前記印刷ジョブの識別情報を含む障害情報を第２記憶部へ記憶させる制御を行うと共に、該印刷ジョブを前記第１記憶部から消去する退避処理部と、
障害発生が検知されたときに、前記画像形成部を障害から復旧させる予め定めた復旧処理を実行する復旧処理部と、
を備えた画像処理システム。
【請求項６】
記録媒体に画像を形成する画像形成部に、印刷対象の画像データを含む印刷ジョブを記憶する第１記憶部に記憶された前記印刷ジョブに応じた画像を形成させる印刷制御を行うステップと、
前記画像形成部の障害発生を検知するステップと、
障害発生が検知されたときに、前記画像形成部に前記印刷ジョブに応じた画像を形成させる印刷制御を行う印刷処理部で印刷制御中の前記印刷ジョブの識別情報を含む障害情報を第２記憶部へ記憶させる制御を行うと共に、該印刷ジョブを前記第１記憶部から消去するステップと、
障害発生が検知されたときに、前記画像形成部を障害から復旧させる予め定めた復旧処理を実行するステップと、
を含む画像処理方法。
【請求項７】
コンピュータに、
記録媒体に画像を形成する画像形成部に、印刷対象の画像データを含む印刷ジョブを記憶する第１記憶部に記憶された前記印刷ジョブに応じた画像を形成させる印刷制御を行うステップと、
前記画像形成部の障害発生を検知するステップと、
障害発生が検知されたときに、前記画像形成部に前記印刷ジョブに応じた画像を形成させる印刷制御を行う印刷処理部で印刷制御中の前記印刷ジョブの識別情報を含む障害情報を第２記憶部へ記憶させる制御を行うと共に、該印刷ジョブを前記第１記憶部から消去するステップと、
障害発生が検知されたときに、前記画像形成部を障害から復旧させる予め定めた復旧処理を実行するステップと、
を実行させるためのプログラム。
【発明の詳細な説明】
【技術分野】
【０００１】
本発明は、画像処理装置、画像処理システム、画像処理方法、及びプログラムに関する。
【背景技術】
【０００２】
画像形成装置における印刷処理中に障害が発生したときに、自動的に復旧処理を行う技術が開示されている（例えば、特許文献１）。特許文献１には、障害が発生すると、障害内容に対応する予め用意された修復用の印刷プログラムを印刷装置に送信することで、復旧処理を行うことが開示されている。
【発明の概要】
【発明が解決しようとする課題】
【０００３】
しかしながら、特許文献１に開示された技術では、予め登録した障害内容以外の障害が発生した場合には自動復旧がなされず、印刷処理が停止してしまう。このため、従来技術では、利用者の作業負荷の軽減を図ることができない、という問題があった。
【０００４】
本発明は、上記に鑑みてなされたものであって、利用者の作業負荷の軽減を図ることができる、画像処理装置、画像処理システム、画像処理方法、及びプログラムを提供することを目的とする。
【課題を解決するための手段】
【０００５】
上述した課題を解決し、目的を達成するために、本発明の画像処理装置は、印刷対象の画像データを含む印刷ジョブを記憶する第１記憶部と、記録媒体に画像を形成する画像形成部に前記印刷ジョブに応じた画像を形成させる印刷制御を行う印刷処理部と、前記画像形成部の障害発生を検知する検知部と、障害発生が検知されたときに、前記印刷処理部で印刷制御中の前記印刷ジョブの識別情報を含む障害情報を第２記憶部へ記憶させる制御を行うと共に、該印刷ジョブを前記第１記憶部から消去する退避処理部と、障害発生が検知されたときに、前記画像形成部を障害から復旧させる予め定めた復旧処理を実行する復旧処理部と、を備える。
【発明の効果】
【０００６】
本発明によれば、利用者の作業負荷の軽減を図ることができる、という効果を奏する。
【図面の簡単な説明】
【０００７】
【図１】図１は、画像処理システムを示す模式図である。
【図２】図２は、画像処理部の機能ブロック図である。
【図３】図３は、画像格納処理の手順を示すフローチャートである。
【図４】図４は、画像処理の手順を示すフローチャートである。
【図５】図５は、コンピュータの構成を示すハードウェア構成図である。
【発明を実施するための形態】
【０００８】
以下、添付図面を参照しながら、画像処理装置、画像処理システム、画像処理方法、及びプログラムの一の実施の形態を詳細に説明する。
【０００９】
図１は、本実施の形態の画像処理システム１０を示す模式図である。画像処理システム１０は、画像処理装置１２、画像形成装置１６、及びクライアントＰＣ１４を備える、画像処理装置１２、画像形成装置１６、及びクライアントＰＣ１４は、ネットワーク１８を介して接続されている。ネットワーク１８は、有線通信であっても無線通信であってもよい。
【００１０】
クライアントＰＣ１４は、公知のパーソナルコンピュータである。図１では、画像処理システム１０が、クライアントＰＣ１４として、クライアントＰＣ１４ＡとクライアントＰＣ１４Ｂの２台を含む場合を示した。しかし、画像処理システム１０は、１台のクライアントＰＣ１４を含む形態であってもよく、３台以上のクライアントＰＣ１４を含む形態であってもよい。
【００１１】
クライアントＰＣ１４は、画像データの印刷指示及び画像を形成させる画像形成装置１６の識別情報等をユーザから受け付ける。ユーザは、クライアントＰＣ１４に設けられた図示を省略するキーボード等の操作部を操作することで、画像データ、該画像データの印刷指示、及び画像を形成させる画像形成装置１６の識別情報（以下、プリンタＩＤと称する）等を入力する。画像データの印刷指示、及びプリンタＩＤ等を受け付けたクライアントＰＣ１４は、印刷ジョブを画像処理装置１２へ送信する。クライアントＰＣ１４が画像処理装置１２へ送信する印刷ジョブは、該印刷ジョブの送信元であるクライアントＰＣ１４の識別情報、画像データ、印刷指示、及び画像を形成させる画像形成装置１６のプリンタＩＤ等を含む。
【００１２】
画像処理装置１２は、各種画像処理を実行すると共に、画像処理装置１２及び画像形成装置１６を制御する。本実施の形態では、画像処理装置１２は、クライアントＰＣ１４から受け付けた印刷ジョブに含まれる画像データを、該プリンタＩＤによって特定される画像形成装置１６で処理可能な形式に変更する。本実施の形態では、ＲＩＰ処理を実行することで、該変更を行う場合を説明する。そして、変更した画像データを含む印刷ジョブを、クライアントＰＣ１４から受け付けた印刷ジョブに含まれるプリンタＩＤによって特定される画像形成装置１６へ送信する。
【００１３】
画像処理装置１２は、画像処理部１２Ａを備える。画像処理部１２Ａは、印刷制御や詳細を後述する復旧処理等を実行する機能部である。画像処理装置１２は、印刷対象の画像データ（上記ＲＩＰ処理を行った画像データ）を含む印刷ジョブを画像形成装置１６へ送信することで、印刷制御を実行する。画像形成装置１６へ送信する印刷ジョブは、該印刷ジョブの送信元であるクライアントＰＣ１４の識別情報、ＲＩＰ処理された画像データ、印刷指示、及び画像形成させる画像形成装置１６のプリンタＩＤ等を含む。
【００１４】
画像形成装置１６は、画像を形成する画像形成部１６Ａを備えた装置である。画像形成部１６Ａは、画像処理装置１２から印刷ジョブを受信し、受信した印刷ジョブに含まれる画像データの画像を順次、用紙等の記録媒体に形成する。
【００１５】
なお、画像形成装置１６は、画像を形成する公知の画像形成機能を少なくとも備えた装置であればよく、複数種類の他の機能を更に備えた装置であってもよい。例えば、本実施の形態の画像形成装置１６を、複合機（ＭＦＰ：Ｍｕｌｔｉｆｕｎｃｔｉｏｎ  Ｐｅｒｉｐｈｅｒａｌ）に適用してもよい。複合機は、画像形成機能、複写機能、スキャナ機能、及びファクシミリ機能のうち少なくとも２つの機能を有する装置である。
【００１６】
図２は、画像処理部１２Ａの機能ブロック図である。画像処理部１２Ａは、第４記憶部２０、ＲＩＰ処理部２２、印刷処理部２４、第１記憶部２６、検知部２８、復旧処理部３０、退避処理部３２、第２記憶部３４、通知部３６、及び通信部３８を含む。
【００１７】
通信部３８は、ネットワーク１８を介してクライアントＰＣ１４及び画像形成装置１６とデータや信号の授受を行う通信インターフェースである。第４記憶部２０は、ハードディスクドライブ装置（ＨＤＤ）等の記憶媒体であり、クライアントＰＣ１４から受け付けた印刷ジョブを順次記憶する。
【００１８】
ＲＩＰ処理部２２は、第４記憶部２０に記憶された１または複数の印刷ジョブについて、第４記憶部２０に記憶された順に、順次ＲＩＰ（Ｒａｓｔｅｒ  Ｉｍａｇｅ  Ｐｒｏｃｅｓｓｏｒ）処理を実行する。具体的には、ＲＩＰ処理部２２は、先に第４記憶部２０に記憶された順に、第４記憶部２０から印刷ジョブを読取る。そして、ＲＩＰ処理部２２は、読取った印刷ジョブに含まれる画像データから、該印刷ジョブに含まれるプリンタＩＤによって特定される画像形成装置１６で処理可能なデータ形式の画像データを生成することでＲＩＰ処理を実行する。更に具体的には、第４記憶部２０から読取った印刷ジョブに含まれる画像データが、ＰＤＬ（Ｐｒｉｎｔ  Ｄｅｓｃｒｉｐｔｉｏｎ  Ｌａｎｇｕａｇｅ）データであったとする。ＲＩＰ処理部２２は、ＰＤＬデータからビットマップデータを生成することで、ＲＩＰ処理を実行する。
【００１９】
ＲＩＰ処理部２２は、ＲＩＰ処理を行った画像データを含む印刷ジョブを、順次第１記憶部２６へ記憶する。なお、ＲＩＰ処理部２２は、ＲＩＰ処理を行った印刷ジョブを、第４記憶部２０から消去する。このため、第４記憶部２０には、ＲＩＰ処理が未処理の印刷ジョブのみが記憶されている。また、第１記憶部２６には、ＲＩＰ処理された印刷ジョブであって、且つ後述する印刷制御のなされていない又は印刷制御中の印刷ジョブが記憶されている。
【００２０】
印刷処理部２４は、画像形成部１６Ａに印刷ジョブに含まれる画像データの画像を形成させる印刷制御を行う。印刷処理部２４は、第１記憶部２６に格納されている印刷ジョブを順次読取り、印刷ジョブ毎に印刷制御を実行する。詳細には、印刷処理部２４は、第１記憶部２６から読取った印刷ジョブに含まれる印刷指示等の各種指示信号や識別情報等を、通信部３８を介して画像形成部１６Ａへ送信すると共に、該印刷ジョブに含まれる画像データを、通信部３８を介して順次画像形成部１６Ａへ送信することで、印刷制御を実行する。
【００２１】
また、印刷処理部２４は、判別部２４Ａと、第１画像生成部２４Ｂと、を備える。判別部２４Ａは、後述する復旧処理部３０によってなされた復旧処理後に、印刷制御再開可能であるか否かを判別する。
【００２２】
第１画像生成部２４Ｂは、第１画像を生成する。第１画像は、障害が発生したことを示す画像を少なくとも含む。本実施の形態では、第１画像は、障害が発生したことを示す画像と、障害発生時間、障害の発生した画像形成装置１６の識別情報、障害発生時に印刷処理部２４で印刷制御中であった印刷ジョブの識別情報、及び該印刷ジョブの送信元であるクライアントＰＣ１４の識別情報の少なくとも１つと、を含む。障害が発生したことを示す画像は、例えば、“障害が発生しました”等の文字情報である。障害発生時間は、検知部２８で障害発生の検知された時間である。第１画像生成部２４Ｂは、検知部２８で障害発生が検知されたときに、障害が発生したことを示す画像と、障害発生時間、障害の発生した画像形成装置１６の識別情報、及び障害発生時に印刷処理部２４で印刷制御中であった印刷ジョブの識別情報の少なくとも１つと、を含む第１画像を生成する。
【００２３】
そして、印刷処理部２４は、判別部２４Ａで印刷制御再開可能であると判別したときに、第１画像生成部２４Ｂで生成された第１画像を画像形成装置１６に形成させる印刷制御を実行した後に、該画像形成部１６に第１記憶部２６に記憶されている印刷ジョブに応じた画像を形成させる印刷制御を行う。
【００２４】
検知部２８は、画像形成部１６Ａの障害発生を検知する。本実施の形態では、検知部２８は、画像形成部１６Ａと画像処理部１２Ａとの間の通信エラーの発生や、画像形成部１６Ａ側で印刷実行不可能な障害が発生したことを検知する。検知部２８は、例えば、所定時間毎に画像形成部１６Ａに正常動作中か否かを確認するための確認信号を送信する。画像形成部１６Ａは、画像処理装置１２から該確認信号を受信すると、正常動作中である場合には、正常動作を示す信号を画像処理装置１２へ送信する。また、画像形成部１６Ａは、該確認信号を受信したときに、障害発生中である場合には、障害発生を示す信号を画像処理装置１２へ送信する。
【００２５】
検知部２８は、画像形成部１６Ａに送信した確認信号に対して、予め設定した時間以上画像処理部１２Ａから信号を受信しない場合や、画像処理部１２Ａから障害発生を示す信号を受信したときに、画像処理部１２Ａの障害発生を検知する。
【００２６】
検知部２８は、画像処理部１２Ａで障害発生が検知されると、障害発生を示す信号を復旧処理部３０及び退避処理部３２へ出力する。
【００２７】
復旧処理部３０は、検知部２８から障害発生を示す信号を受け付けると、復旧処理を実行する。復旧処理部３０は、第３記憶部３０Ａを備えている。第３記憶部３０Ａは、予め定めた復旧処理を実行するための復旧処理プログラムを予め記憶する。この復旧処理は、画像形成装置１６を障害から復旧させることの可能な１または複数の一連の処理を示す。復旧処理は、例えば、画像処理装置１２の再起動、画像形成装置１６とのコネクションの再確立処理等である。復旧処理部３０は、検知部２８で障害発生が検知されると、第３記憶部３０Ａに格納されている復旧処理プログラムを実行することで、復旧処理を実行する。
【００２８】
すなわち、本実施の形態では、復旧処理部３０は、上述のように、障害発生が検知されると、障害の内容に拘らず、同じ復旧処理プログラムを実行する。このため、復旧処理プログラムには、画像形成部１６Ａに対して印刷制御を再開することが可能な１または複数の一連の処理が予め記述されている。復旧処理部３０は、復旧処理を終了すると、復旧処理終了を示す復旧信号を印刷処理部２４へ出力する。
【００２９】
退避処理部３２は、検知部２８から障害発生を示す信号を受け付けると、退避処理を実行する。退避処理部３２は、第１記憶部２６に格納されている印刷ジョブの内、検知部２８で障害発生が検知されたときに印刷処理部２４で印刷制御中の印刷ジョブの識別情報を含む障害情報を第２記憶部３４へ記憶させる処理を行うと共に、該印刷ジョブを第１記憶部２６から削除することによって、退避処理を実行する。
【００３０】
障害情報は、該印刷ジョブを示す識別情報と、障害発生を示す障害発生情報と、を含む。なお、識別情報は、障害発生した画像形成装置１６のプリンタＩＤや、該印刷ジョブの送信元であるクライアントＰＣ１４の識別情報を更に含んでいてもよい。
【００３１】
本実施の形態では、障害情報は、障害発生が検知されたときに印刷制御中であった印刷ジョブを示す識別情報、障害発生を示す障害発生情報、障害発生した画像形成装置１６のプリンタＩＤ、及び該印刷ジョブの送信元であるクライアントＰＣ１４の識別情報を含む場合を説明する。
【００３２】
また、退避処理部３２は、退避処理の実行後、印刷処理部２４及び通知部３６へ退避処理終了を示す退避済信号を出力する。
【００３３】
通知部３６は、退避済信号を退避処理部３２から受け付けると、第２記憶部３４に格納された障害情報を、通信部３８及びネットワーク１８を介して、該障害情報に含まれるクライアントＰＣ１４の識別情報によって特定されるクライアントＰＣ１４へ送信する。この障害情報の送信には、公知の方法を用いればよく、例えば、メールソフト等の通信ソフトを用いてもよい。
【００３４】
次に、画像処理部１２Ａで実行する画像格納処理の手順を説明する。
【００３５】
図３は、本実施の形態の画像処理部１２Ａで実行する画像格納処理の手順を示すフローチャートである。画像処理部１２Ａでは、図３に示す画像格納処理を、クライアントＰＣ１４から印刷ジョブを受信する度に実行する。
【００３６】
通信部３８は、クライアントＰＣ１４から印刷ジョブを受信すると、受信した印刷ジョブを順次、第４記憶部２０へ格納する（ステップＳ１００）。
【００３７】
次に、ＲＩＰ処理部２２が、第４記憶部２０に格納されている印刷ジョブを読取り、該印刷ジョブに含まれる画像データについてＲＩＰ処理を実行する（ステップＳ１０２）。
【００３８】
次に、ＲＩＰ処理部２２が、ＲＩＰ処理済の画像データを含む印刷ジョブを第１記憶部２６へ格納する（ステップＳ１０４）。そして本ルーチンを終了する。
【００３９】
次に、画像処理部１２Ａが実行する画像処理の手順を説明する。図４は、画像処理部１２Ａが実行する画像処理の手順を示すフローチャートである。画像処理部１２Ａは、所定時間毎に、図４に示す画像処理を繰り返し実行する。
【００４０】
まず、印刷処理部２４が、第１記憶部２６に印刷ジョブが格納されているか否かを判断する（ステップＳ２００）。ステップＳ２００で否定判断すると（ステップＳ２００：Ｎｏ）、本ルーチンを終了する。一方、ステップＳ２００で肯定判断すると（ステップＳ２００：Ｙｅｓ）、ステップＳ２０２へ進む。
【００４１】
次に、印刷処理部２４が、印刷制御を開始する(ステップＳ２０２)。詳細には、印刷処理部２４が、第１記憶部２６に格納されている印刷ジョブを読取り、該印刷ジョブに含まれる画像形成装置１６の識別情報によって特定される画像形成装置１６へ、印刷ジョブの送信を開始する。
【００４２】
次に、検知部２８が、上記ステップＳ２０２で印刷制御実行中の画像形成装置１６の障害発生を検知したか否かを判断する（ステップＳ２０４）。検知部２８は、ステップＳ２０４で否定判断すると（ステップＳ２０４：Ｎｏ）、ステップＳ２２２へ進む。
【００４３】
ステップＳ２２２では、印刷処理部２４が、印刷終了か否かを判断する（ステップＳ２２２）。印刷処理部２４は、第１記憶部２６に格納されている印刷ジョブの全てについて印刷処理を終了したか否かを判別することで、ステップＳ２２２の判断を実行する。ステップＳ２２２で否定判断すると（ステップＳ２２２：Ｎｏ）、上記ステップＳ２０４へ戻り、肯定判断すると（ステップＳ２２２：Ｙｅｓ）、本ルーチンを終了する。
【００４４】
一方、検知部２８が障害発生を検知すると、上記ステップＳ２０４で肯定判断し（ステップＳ２０４：Ｙｅｓ）、ステップＳ２０６へ進む。
【００４５】
ステップＳ２０６では、退避処理部３２が退避処理を実行する（ステップＳ２０６）。上述したように、退避処理部３２は、第１記憶部２６に格納されている印刷ジョブの内、検知部２８で障害発生が検知されたときに印刷処理部２４で印刷制御中の印刷ジョブを示す識別情報を含む障害情報を第２記憶部３４へ記憶する処理を行うと共に、該印刷ジョブを第１記憶部２６から削除することによって、退避処理を実行する。
【００４６】
次に、復旧処理部３０が復旧処理を実行する（ステップＳ２０８）。上述したように、復旧処理部３０は、第３記憶部３０Ａに格納されている復旧処理プログラムを実行する。
【００４７】
上記ステップＳ２０４〜ステップＳ２０８の処理が実行されることによって、検知部２８で障害発生が検知されたときに、第１記憶部２６に格納されている印刷制御中の印刷ジョブが第１記憶部２６から削除されると共に、第２記憶部３４に該印刷ジョブを示す識別情報を含む障害情報が格納される。
【００４８】
次に、通知部３６が、障害情報を通知する（ステップＳ２１０）。詳細には、通知部３６は、第２記憶部３４に格納された障害情報を、通信部３８及びネットワーク１８を介して、該障害情報に含まれるクライアントＰＣ１４の識別情報によって特定されるクライアントＰＣ１４へ送信することによって、障害情報を通知する。
【００４９】
次に、判別部２４Ａが、印刷制御再開可能か否かを判断する（ステップＳ２１２）。判別部２４Ａは、復旧処理部３０から復旧処理終了を示す復旧信号を受け付けると共に、退避処理部３２から退避処理終了を示す退避済信号を受け付けたか否かを判別することで、ステップＳ２１２の判断を行う。
【００５０】
印刷処理部２４は、ステップＳ２１２で肯定判断（ステップＳ２１２：Ｙｅｓ）するまで否定判断（ステップＳ２１２：Ｎｏ）を繰り返し、肯定判断すると（ステップＳ２１２：Ｙｅｓ）、ステップＳ２１４へ進む。
【００５１】
ステップＳ２１４では、印刷処理部２４が第１記憶部２６に印刷ジョブが格納されているか否かを判断する（ステップＳ２１４）。ステップＳ２１４で否定判断すると（ステップＳ２１４：Ｎｏ）、本ルーチンを終了する。
【００５２】
一方、ステップＳ２１４で肯定判断すると（ステップＳ２１４：Ｙｅｓ）、ステップＳ２１６へ進む。ステップＳ２１６では、第１画像生成部２４Ｂが、第１画像を生成する（ステップＳ２１６）。第１画像生成部２４Ｂは、障害が発生したことを示す予め記憶した画像（例えば、文字画像）と、ステップＳ２０４で検知部２８が障害発生を検知した時間である障害発生時間と、ステップＳ２０２で印刷制御中の印刷ジョブから読取った障害発生した画像形成装置１６の識別情報と、該印刷ジョブの識別情報と、該印刷ジョブの送信元であるクライアントＰＣ１４の識別情報と、を含む第１画像を生成する。
【００５３】
次に、印刷処理部２４は、ステップＳ２１６で生成した第１画像を画像形成装置１６に形成させる印刷制御を実行する（ステップＳ２１８）。ステップＳ２１８では、印刷処理部２４は、上記ステップＳ２０４で検知された障害発生時に印刷処理部２４が印刷制御中であった画像形成装置１６に対して、第１画像と第１画像の印刷指示を含む印刷ジョブを送信することで、ステップＳ２１８の処理を実行する。
【００５４】
ステップＳ２１８の処理によって、該印刷ジョブを受け付けた画像形成装置１６は、該印刷ジョブに含まれる第１画像を記録媒体に印刷する。このため、ユーザに対して、障害により印刷が中断したことを容易に提示することができる。
【００５５】
次に、印刷処理部２４は、第１記憶部２６に格納されている印刷ジョブを読取り、ステップＳ２０２と同様にして印刷制御を再開する（ステップＳ２２０）。そして、上記ステップＳ２０４へ戻る。
【００５６】
以上説明したように、本実施の形態の画像処理装置１２によれば、第１記憶部２６が、印刷対象の画像データを含む印刷ジョブを記憶する。印刷処理部２４が、記録媒体に画像を形成する画像形成部１６Ａに印刷ジョブに応じた画像を形成させる印刷制御を行う。検知部２８が画像形成部１６Ａの障害発生を検知すると、退避処理部３２が、印刷処理部２４で印刷制御中の印刷ジョブの識別情報を含む障害情報を第２記憶部３４へ記憶させる制御を行うと共に、該印刷ジョブを第１記憶部２６から消去する退避処理を実行する。また、復旧処理部３０は、障害発生が検知されたときに、画像形成部１６Ａを障害から復旧させる予め定めた復旧処理を実行する。
【００５７】
このように、本実施の形態の画像処理装置１２によれば、検知部２８で障害発生が検知されたときに、第１記憶部２６に格納されている印刷制御中の印刷ジョブが第１記憶部２６から削除されると共に、第２記憶部３４に該印刷ジョブを示す識別情報を含む障害情報が格納される。また、本実施の形態の画像処理装置１２では、障害内容によらず、予め定めた障害復旧のための復旧処理を実行する。
【００５８】
このため、本実施の形態の画像処理システム１０では、発生した障害の内容に拘らず、印刷制御の自動復旧を図ることができ、利用者の作業負荷の軽減を図ることができる。
【００５９】
また、画像形成装置１６における障害発生の原因は、画像処理装置１２から画像形成装置１６へ送信中の印刷ジョブにあることが多い。しかし、本実施の形態では、検知部２８で障害発生が検知されたときに、第１記憶部２６に格納されている印刷制御中の印刷ジョブを第１記憶部２６から削除すると共に、予め定めた復旧処理を実行することから、効果的に且つ容易に、印刷制御の自動復旧を図ることができる。
【００６０】
なお、本実施の形態では、退避処理部３２が退避処理を実行した後に、復旧処理部３０が復旧処理を実行する場合を説明したが、復旧処理部３０が復旧処理を実行した後に、退避処理部３２が退避処理を実行してもよい。
【００６１】
なお、本実施の形態にかかる画像処理部１２Ａで実行する画像格納処理や画像処理にかかるプログラム（画像格納処理プログラムや画像処理プログラム）はコンピュータ上のプログラムに実行させることもできる。図５は一般的なコンピュータ３００の構成を示すハードウェア構成図である。コンピュータ３００は、ＣＰＵ３０４、ハードディスク３０２、ディスプレイ３０６、通信装置３０８、ＣＤ−ＲＯＭドライブ３１０、ＲＯＭやＲＡＭ等のメモリ３１２、及びキーボード／マウス３１４を備えている。
【００６２】
例えば、ＣＰＵ３０４により実行される画像格納処理プログラムや画像処理プログラムをインストール可能な形式又は実行可能な形式のファイルでＣＤ−ＲＯＭ等の記録媒体に記録して提供する。そして、ＣＰＵ３０４が、画像格納処理プログラムや画像処理を実行するための画像処理プログラムを、ＣＤ−ＲＯＭドライブ３１０を通じて読み込み、実行時にはメモリ３１２上にロードされ、ＣＰＵ３０４からの指令によってプログラムの処理ステップが順次実行されるようにしてもよい。
【００６３】
なお、この記録媒体は、ＣＤ−ＲＯＭに限定されず、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体であればよい。
【００６４】
また、ＣＰＵ３０４により実行される画像格納処理プログラムや画像処理プログラムは、例えば、メモリ３１２に予め組み込まれて提供されてもよい。また、ＣＰＵ３０４により実行される画像格納処理プログラムや画像処理プログラムを、インターネット等のネットワーク経由で提供または配布するように構成してもよい。
【００６５】
ＣＰＵ３０４により実行される画像格納処理プログラムや画像処理プログラムは、図２に機能ブロック図で示した各処理機能（ＲＩＰ処理部２２、印刷処理部２４、検知部２８、復旧処理部３０、退避処理部３２、通知部３６、通信部３８）を含むモジュール構成となっており、実際のハードウェアとしてはＣＰＵ（プロセッサ）が、例えばＲＯＭから画像格納処理プログラムや画像処理プログラムを読み出して実行することにより各処理機能が主記憶装置（ＲＡＭ）上にロードされ、各処理機能が主記憶装置上に生成されるようになっている。
【００６６】
すなわち、ＲＩＰ処理部２２、印刷処理部２４、検知部２８、復旧処理部３０、退避処理部３２、通知部３６、及び通信部３８は、例えば、ＣＰＵなどの処理装置にプログラムを実行させること、すなわち、ソフトウェアにより実現してもよいし、ＩＣ（Ｉｎｔｅｇｒａｔｅｄ  Ｃｉｒｃｕｉｔ）などのハードウェアにより実現してもよいし、ソフトウェアおよびハードウェアを併用して実現してもよい。
【００６７】
以上、一の実施の形態を具体的に説明したが、本発明は、上記の実施の形態そのままに限定されるものではなく、実施段階ではその要旨を逸脱しない範囲で様々な変形や変更を加えて具体化することができる。
【００６８】
例えば、本実施の形態の画像処理システム１０では、画像処理装置１２が画像処理部１２Ａを備え、画像形成装置１６が画像形成部１６Ａを備えた形態を説明したが、画像処理装置１２が、画像処理部１２Ａ及び画像形成部１６Ａを備えた構成であってもよい。また、図２に示した画像処理部１２Ａの一部または全部の機能を、画像形成装置１６に内蔵させた構成を採用するようにしてもよい。
【符号の説明】
【００６９】
１０  画像処理システム
１２  画像処理装置
１２Ａ  画像処理部
１６Ａ  画像形成部
２４  印刷処理部
２４Ａ  判別部
２４Ｂ  第１画像生成部
２８  検知部
３０  復旧処理部
３２  退避処理部
３４  第２記憶部
３６  通知部
【先行技術文献】
【特許文献】
【００７０】
【特許文献１】特許第３８２６５９３号公報
【図１】
2015038707.tif 000003
【図２】
2015038707.tif 000004
【図３】
2015038707.tif 000005
【図４】
2015038707.tif 000006
【図５】
2015038707.tif 000007